(57)【要約】【課題】水道水圧が低い条件下であっても少ない水量で効率よく安定したすすぎ効果を得ること。【解決手段】洗濯兼脱水槽１８の下部外周に裏羽根１９を形成し、上部カバー２６は対角２ヵ所の上部流入口２８、２８ａと吐出口２９、２９ａを有し、外槽２０は底部内周面に上部カバー２６に対応した２ヵ所の下部流入口２２、２２ａを設けると共に、この下部流入口と上部カバーの前記上部流入口とを連通する２ヵ所の送水部を２３、２３ａ設け、すすぎ行程において排水弁８を閉止状態にして洗濯兼脱水槽１８内の水位が所定水位に到達した時点で、洗濯兼脱水槽１８を回転駆動させて外槽２０下部からすすぎ液を、送水部２３、２３ａを介して上部カバー２６の２ヵ所の吐出口２９，２９ａより洗濯兼脱水槽１８内に散水させるようにし、所定の水量を強制循環させて上部カバー２６の吐出口２９、２９ａより洗濯兼脱水槽１８内の衣類に含まれる洗剤等を除去する。【選択図】図１
2010220917.tif 000002
【特許請求の範囲】
【請求項１】
パルセータを駆動するモータと、前記パルセータを内底部に回転自在に配設した洗濯兼脱水槽と、前記洗濯兼脱水槽を内包する外槽と、前記外槽上部に固着した上部カバーと、前記外槽底部に前記パルセータと前記洗濯兼脱水槽との回転を選択的に切り換えるクラッチ機構を有する駆動機構手段と、前記外槽底部に設けた排水口と、前記排水口を開閉する排水弁と、前記洗濯兼脱水槽内への給水を制御する給水弁と、前記洗濯兼脱水槽内の水位を検知する水位検知装置と、前記モータ、前記駆動機構手段、前記排水弁、前記給水手段などの動作と洗濯、すすぎ、脱水の各行程を制御する制御装置とを備え、前記洗濯兼脱水槽は下部外周に裏羽根を形成し、前記上部カバーは対角２ヵ所の上部流入口と吐出口を有し、前記外槽は底部内周面に前記上部カバーに対応した２ヵ所の下部流入口を設けると共に、この下部流入口と前記上部カバーの前記上部流入口とを連通する２ヵ所の送水部を設け、すすぎ行程において前記排水弁を閉止状態にして前記洗濯兼脱水槽内の水位が所定水位に到達した時点で、前記洗濯兼脱水槽を回転駆動させて前記外槽下部からすすぎ液を、前記送水部を介して前記上部カバーの２ヵ所の吐出口より前記洗濯兼脱水槽内に散水させるようにした洗濯機。
【請求項２】
２ヵ所の下部流入口のうち１ヵ所は外槽の略底部内周面に流入口を設け、もう１ヵ所は外槽の略中央内周面に流入口を設けることにより、この略中央内周面に設けた流入口よりも低水位の場合は１ヵ所の上部吐出口から洗濯兼脱水槽内に散水し、前記略中央内周面に設けた流入口の近傍もしくは高水位の場合は２ヵ所の上部吐出口から散水させるようにした洗濯機。
【発明の詳細な説明】
【技術分野】
【０００１】
本発明は、洗濯、すすぎ、脱水の各行程を制御し逐次実行する洗濯機において、使用水量を低減して効率よくすすぐことができる洗濯機に関するものである。
【背景技術】
【０００２】
従来、この種の洗濯機は省資源の為、すすぎ行程において、洗濯兼脱水槽に水を溜めないで上方より衣類にシャワー状に、注水しながら洗濯兼脱水槽を回転させるすすぎ方式を行っていた（例えば、特許文献１参照）。
【０００３】
図４は、従来の洗濯機の側断面図、図５は、同洗濯機の洗い行程、図６は、すすぎ行程のフローチャートである。
【０００４】
図４において、筐体１は内部に複数のサスペンション２によって弾性的に吊り下げた外槽３を配し、脱水時の振動をサスペンション２によって吸収する構成としている。外槽３の内部には、洗濯物を収容する洗濯兼脱水槽４を、中空で２重構造とした洗濯軸５ａ、脱水軸５を中心に回転可能に配設し、洗濯兼脱水槽４の内底部に衣類（洗濯物）を攪拌するパルセータ６を回転自在に配設し、底部には排水口７と排水弁８を設けている。
【０００５】
洗濯兼脱水槽４の内部周壁には水抜き用の小孔４ａを多数設けている。モータ９は、外槽３の底部に取り付け、ベルト１０を介してクラッチ機構及びブレーキ機構を有する駆動機構部１１に回転を伝達する。
【０００６】
駆動機構部１１内部のクラッチ切り換え装置（図示せず）にて、脱水軸５の制動および制動解除を同時に行い、洗濯時では脱水軸５を制動させ洗濯軸５ａを駆動し衣類攪拌用のパルセータ６を回転駆動させ、脱水時は脱水軸５の制動を解除し排水弁８を開放し洗濯兼脱水槽４を回転駆動させる。
【０００７】
外槽３内の洗濯液またはすすぎ液は、底部の排水口７から排水弁８を介して機外に排水する。水位検知装置１２は、圧力センサー等で形成され、洗濯兼脱水槽４内の水位を検知し、洗濯時には所定水位Ａまで給水するように水位を検知する。
【０００８】
また、筐体カバー１４は筐体１の上部を覆うもので、開閉蓋１５を開閉自在に有し、操作表示部を有する制御装置１６を設けるとともに、洗濯兼脱水槽４に給水する水道水の蛇口等に連結した給水弁１７を内部に設けている。
【０００９】
制御装置１６は、マイクロコンピュータ等を具備し、モータ９、クラッチ切り換え装置（図示せず）、給水弁１７、排水弁８を制御するとともに、洗い、すすぎ、脱水の一連の行程を逐次制御するように構成している。
【００１０】
上記構成において、図５，６のフローチャートを参照しながら動作を説明する。
【００１１】
洗濯行程（１００）では、排水弁８は閉止状態で、開閉蓋１５を開けて、洗濯兼脱水槽４に衣類（洗濯物）を投入し（１０１）、電源スイッチをＯＮし（１０２）、スタートスイッチをＯＮ（１０３）すると、給水弁１７を開いて（１０４）、所定水位Ａまで給水（１０５，１０６）した後、モータ９を駆動（１０７）し、パルセータ６を回転させて洗濯を行う。
【００１２】
洗濯を所定時間経過するとモータ９をＯＦＦし（１０８、１０９）、洗濯行程を終了する（１１０）。
【００１３】
洗濯行程が終了すると、図７において、次のすすぎ行程（２００）では、排水弁８を開放する（２０１）と同時に、駆動機構部１１内部のクラッチ切り換え装置（図示せず）を切り換え、脱水軸５の制動を解除しつつ脱水軸５を介して洗濯兼脱水槽４が回転可能な状態にする（２０２）。
【００１４】
排水終了（２０３）後、モータ９をＯＮした中間脱水にて（２０４）、洗濯兼脱水槽４の回転を７００〜８００ｒ／ｍｉｎレベルまで立ち上げ、衣類を遠心脱水し、衣類に残存した洗剤成分を洗濯液と同時に衣類より離脱させる。
【００１５】
所定時間（２０５）後にモータ９をＯＦＦし（２０６）、洗濯兼脱水槽４の回転を徐々に下げ、駆動機構部１１内部のクラッチ切り換え装置（図示せず）を切り換え、脱水軸５を制動し（２０７）、洗濯兼脱水槽４を一度停止させる。
【００１６】
その後、再び駆動機構部１１内部のクラッチ切り換え装置（図示せず）を切り換え、脱水軸５の制動を解除しつつ脱水軸５を介して洗濯兼脱水槽４が回転可能な状態にする（２０８）とともに、再度モータ９をＯＮ（２０９）とＯＦＦ（２１０）を繰り返し、洗濯兼脱水槽４を平均３０〜５０ｒ／ｍｉｎの低速回転に所定時間保持させると同時に、給水弁１７を開放（２１１）して、水道水等を洗濯兼脱水槽４内にシャワー状に給水し洗濯兼脱水槽４内壁にへばりついた衣類に均一に注水し、衣類に浸透させつつ衣類に残存している洗剤成分を希釈あるいは離脱させる。
【００１７】
所定時間（２１２）給水した後、給水弁１７をＯＦＦ（２１３）、排水弁８をＯＦＦ（２１４）、駆動機構部１１内部のクラッチ切り換え装置（図示せず）を切り換え、脱水軸５を制動し（２１５）洗濯兼脱水槽４を停止させ、すすぎ行程を終了する（２１６）。
【００１８】
すすぎ行程が終了すると、洗濯兼脱水槽４の回転を７００〜８００ｒ／ｍｉｎレベルまで立ち上げる高速遠心脱水により、衣類に含まれる水分を除去する脱水行程を行い、一連の行程を終了する。
【００１９】
以上のように、上記従来のすすぎ方式では、例えば洗濯衣類が８ｋｇ容量の場合、洗い行程の水位Ａで約５０〜７０Ｌ水量に対し、すすぎ行程は約１５〜２５Ｌ水量を衣類にシャワー状に注水することで、できるだけ少ない使用水量ですすぎ効果を得る構成を採用していた。
【特許文献１】特開平８−１１７４７８号公報
【発明の開示】
【発明が解決しようとする課題】
【００２０】
しかしながら、前記従来の構成では、すすぎ行程において、衣類に水道水を注水する場合、すすぎ時間制御を給水弁の所定時間の開閉動作で行う構成が一般的で、水道水圧が低い使用条件下では注水流量が下がり、衣類に注水される水量が必要量供給されず、特に布量が多い時などの場合には、衣類の内部まで水が充分浸透できないまま次行程に移行するため、すすぎムラが発生するという課題があった。
【００２１】
また、本発明は、前記従来の課題を解決するもので、水道水圧が低い条件下であっても少ない水量で効率よく安定したすすぎ効果を得ることを目的としている。
【００２２】
さらには、すすぎの見栄えを良くし、よくすすげていることをアピールできる洗濯機を
提供することを目的としている。
【課題を解決するための手段】
【００２３】
前記従来の課題を解決するために、本発明の洗濯機は、洗濯兼脱水槽の下部外周に裏羽根を形成し、上部カバーは対角２ヵ所の上部流入口と吐出口を有し、外槽は底部内周面に前記上部カバーに対応した２ヵ所の下部流入口を設けると共に、この下部流入口と前記上部カバーの前記上部流入口とを連通する２ヵ所の送水部を設け、すすぎ行程において前記排水弁を閉止状態にして前記洗濯兼脱水槽内の水位が所定水位に到達した時点で、前記洗濯兼脱水槽を回転駆動させて前記外槽下部からすすぎ液を、前記送水部を介して前記上部カバーの２ヵ所の吐出口より前記洗濯兼脱水槽内に散水させるようにしたものである。
【００２４】
これによって、水道水圧の高低により衣類に供給される水量が変動する事がなく、所定の水量を強制循環させて上部カバー吐出口より洗濯兼脱水槽内の衣類に含まれる洗剤等の除去をすることができるので、安定したすすぎ性能を確保するとともに使用水量を低減することができる。
【発明の効果】
【００２５】
本発明の洗濯機は、水道水圧のばらつきに影響されず、安定したすすぎ性能を確保し、かつ使用水量を低減することができる。
【発明を実施するための最良の形態】
【００２６】
第１の発明は、パルセータを駆動するモータと、前記パルセータを内底部に回転自在に配設した洗濯兼脱水槽と、前記洗濯兼脱水槽を内包する外槽と、前記外槽上部に固着した上部カバーと、前記外槽底部に前記パルセータと前記洗濯兼脱水槽との回転を選択的に切り換えるクラッチ機構を有する駆動機構手段と、前記外槽底部に設けた排水口と、前記排水口を開閉する排水弁と、前記洗濯兼脱水槽内への給水を制御する給水弁と、前記洗濯兼脱水槽内の水位を検知する水位検知装置と、前記モータ、前記駆動機構手段、前記排水弁、前記給水手段などの動作と洗濯、すすぎ、脱水の各行程を制御する制御装置とを備え、前記洗濯兼脱水槽は下部外周に裏羽根を形成し、前記上部カバーは対角２ヵ所の上部流入口と吐出口を有し、前記外槽は底部内周面に前記上部カバーに対応した２ヵ所の下部流入口を設けると共に、この下部流入口と前記上部カバーの前記上部流入口とを連通する２ヵ所の送水部を設け、すすぎ行程において前記排水弁を閉止状態にして前記洗濯兼脱水槽内の水位が所定水位に到達した時点で、前記洗濯兼脱水槽を回転駆動させて前記外槽下部からすすぎ液を、前記送水部を介して前記上部カバーの２ヵ所の吐出口より前記洗濯兼脱水槽内に散水させるようにしたことにより、水道水圧の高低により衣類に供給される水量が変動する事がなく、所定の水量を強制循環させて上部カバー吐出口より洗濯兼脱水槽内の衣類に含まれる洗剤等の除去をすることができるので、安定したすすぎ性能を確保するとともに使用水量を低減することができる。
【００２７】
第２の発明は、２ヵ所の下部流入口のうち１ヵ所は外槽の略底部内周面に流入口を設け、もう１ヵ所は外槽の略中央内周面に流入口を設けることにより、この略中央内周面に設けた流入口よりも低水位の場合は１ヵ所の上部吐出口から洗濯兼脱水槽内に散水し、前記略中央内周面に設けた流入口の近傍もしくは高水位の場合は２ヵ所の上部吐出口から散水させるようにしたことにより、すすぎ時の洗濯兼脱水槽の水量によって散水する水を２ヵ所に増やすことができ、また、水位によって散水する箇所ならびに散水する水量を変化させることにより、適切な循環水量を確保でき、水量に応じた循環水の散水による洗浄力ならびにすすぎ力を向上させ、使用者に対しても水量に応じた循環洗浄、循環すすぎの性能をアピールすることが可能となる。
【００２８】
また、特に水量が少ない低水位のとき、１ヵ所の上部吐出口から洗濯兼脱水槽内に散水
するので、少ない水量であっても十分なすすぎ効果をえられ、節水効果も高まる。
【００２９】
以下、本発明の実施の形態について、図面を参照しながら説明する。なお、従来例と同じ構成のものは同一符号を付して説明を省略する。また、この実施の形態によって本発明が限定されるものではない。
【００３０】
（実施の形態１）
図１は、本発明の実施の形態１における洗濯機の側断面図を示すものである。図２は、同洗濯機の洗い行程のフローチャート、図３は、同洗濯機のすすぎ行程のフローチャートを示す。
【００３１】
図１において、洗濯兼脱水槽１８は、内部周壁には小孔１８ａを多数設け、内底部には衣類攪拌用のパルセータ６を回転自在に配するとともに、洗濯行程時には水位を所定水位Ａにまで注水しパルセータ６の回転で衣類の洗濯を行う。また、洗濯兼脱水槽１８の外底部には下方に放射状にフィン形状の複数の裏羽根１９を形成する。
【００３２】
外槽２０は、洗濯兼脱水槽１８を回転自在に内包するとともに、底部に内部の水の排出用の排水口７および排水弁８を設け、外槽２０と洗濯兼脱水槽１８の間に内壁２１を構成する。内壁２１と外槽２０の側壁とで通水が可能な管状の送水部２３を形成するとともに、内壁２１の底部には下部流入口２２を設け、この下部流入口２２から流入した水は、送水部２３を介して上方へ送水可能としている。
【００３３】
外槽２０の上方開口縁には、中央に衣類投入用の開口３０を形成したドーナツ型平板状の上部カバー２６を固着する。
【００３４】
この上部カバー２６の一部には、給水弁１７から洗濯兼脱水槽１８内に注水する水の通水路となる複数の穴を形成した注水部２７、及び下方の洗濯兼脱水槽１８内方を指向する上部カバー吐出口２９を有し、かつ、外槽２０の側壁と内壁２１で構成した送水部２３の上端に対応する位置に水密的に固着する上部流入口２８を設ける。
【００３５】
従って、給水弁１７からの給水は、上部カバー２６の注水部２７より上部カバー吐出口２９を通って洗濯兼脱水槽１８内部に、また外槽２０の側壁の送水部２３からの通水は、上部流入口２８を介して上部カバー吐出口２９より洗濯兼脱水槽１８内に散水される構成となっている。
【００３６】
よって、外槽２０内部に図１で水位Ｂに示すようにパルセータ６が全て浸からない程度の低い水位の水を溜めた状態で洗濯兼脱水槽１８を回転させると、外底部に設けた放射状の複数の裏羽根１９のポンプ作用により水が撹拌され、下部流入口２２より送水部２３に送水されて上部カバー吐出口２９より洗濯兼脱水槽１８内に循環水流として散水される構成である。
【００３７】
制御装置２５は、マイクロコンピュータ等を具備し、洗濯、すすぎ、脱水などの一連の行程を制御する。また、水位検知装置２４は圧力センサー等で構成され、外槽２０下部と連通して、外槽２０内の水圧を電気信号に変換し、制御装置２５に予め設定した各水位設定値と比較し洗濯兼脱水槽１８内の洗濯水の水位検知を行い、洗濯時の所定水位Ａ、すすぎ時の低い水位Ｂ等の検知を行っている。
【００３８】
上記構成において、図２、図３のフローチャートを参照しながら動作を説明する。
【００３９】
洗濯行程（４００）では、排水弁８は閉止状態で、洗濯兼脱水槽１８内部に衣類（洗濯
物）を投入し（４０１）、電源スイッチをＯＮし（４０２）、スタートスイッチをＯＮ（４０３）すると、給水弁１７を開いて（４０４）、所定水位Ａまで給水し（４０５）、給水弁を閉じた後（４０６）、モータ９を駆動する（４０７）。このとき、モータ９の動力を洗濯軸５ａを介してパルセータ６に伝達し、パルセータ６が回転することで、その攪拌力と水流力により衣類に付着した汚れを離脱させ、所定時間経つとモータ９をＯＦＦし（４０８、４０９）洗濯行程を終了する（４１０）。
【００４０】
洗濯行程が終了すると、図３の次のすすぎ行程（５００）では、排水弁８を開放する（５０１）と同時に、クラッチ切り換え装置（図示せず）により駆動機構部１１のクラッチ（図示せず）を切り換え、脱水軸５の制動を解除しつつ脱水軸５を介して洗濯兼脱水槽１８が回転可能な状態にする（５０２）。
【００４１】
排水終了（５０３）後、モータ９をＯＮし（５０４）、洗濯兼脱水槽１８の回転を７００〜８００ｒ／ｍｉｎレベルまで立ち上げ、衣類を遠心脱水し、衣類に残存した洗剤成分は洗濯液と同時に衣類より離脱させ、洗濯兼脱水槽１８の内部周壁に多数設けた小孔１８ａより洗濯兼脱水槽１８外に通過せしめ、排水口７から排水弁８を通過し機外へと排出させるいわゆる中間脱水を行う。
【００４２】
所定時間経過後（５０５）にモータ９をＯＦＦし（５０６）、洗濯兼脱水槽１８の回転を徐々に下げ駆動機構部１１内部のクラッチ切り換え装置（図示せず）を切り換え、脱水軸５ａを制動し（５０７）洗濯兼脱水槽１８を一度停止させ排水弁８をＯＦＦ即ち外槽２０に水が溜め得る状態とする（５０８）。
【００４３】
再び駆動機構部１１内部のクラッチ切り換え装置（図示せず）を切り換え、脱水軸５ａの制動を解除しつつ脱水軸５ａを介して洗濯兼脱水槽１８が回転可能な状態にする（５０９）とともに、給水弁１７を開いて（５１０）パルセータ６外周近傍の低い所定水位Ｂまで給水（５１１、５１２）する。
【００４４】
その後、再度モータ９をＯＮ（５１３）させ、洗濯兼脱水槽１８の回転を約１８０〜２００ｒ／ｍｉｎの回転数に所定時間（５１４）保持させる。この時、すすぎ液は裏羽根１９により円周方向に攪拌され、下部流入口２２に流入し送水部２３を上昇し、上部流入口２８を通過して上部カバー吐出口２９より洗濯兼脱水槽１８上部から洗濯兼脱水槽１８内の衣類に散水する。
【００４５】
衣類に浸透し遠心力により通過し同時に衣類内部の洗剤成分を衣類から離脱させ、洗濯兼脱水槽１８の内部周壁に多数設けた小孔１８ａより洗濯兼脱水槽１８外に抜け外槽２０底部に落下し、再度裏羽根１９により掻き揚げられ下部流入口２２、送水部２３、上部流入口２８を順に通過して上部カバー吐出口２９より洗濯兼脱水槽１８上部から洗濯兼脱水槽１８内の衣類に散水する強制循環の動作を所定時間（５１４）の間繰り返すことで衣類全体に残存する洗剤成分を均一に希釈できる。
【００４６】
所定時間（５１４）後にモータ９をＯＦＦ（５１５）し、クラッチ切り換え装置（図示せず）により駆動機構部１１のクラッチ（図示せず）を切り換え脱水軸５ａを制動し（５１６）洗濯兼脱水槽１８を停止させ、すすぎ行程を終了する（５１７）。
【００４７】
すすぎ行程が終了すると、洗濯兼脱水槽４の回転を７００〜８００ｒ／ｍｉｎレベルまで立ち上げる高速遠心脱水により、衣類に含まれる水分を除去して、前記すすぎ行程中の中間脱水時間より長い時間遠心脱水し最終絞りあげることで、洗い、すすぎ、脱水の一連の行程全体を終了する。
【００４８】
以上のように、すすぎ行程で、例えば８ｋｇ容量の場合、洗い行程の水位Ａで約５０〜７０Ｌ水量に対し、すすぎ行程はパルセータ６外周近傍の低い水位Ｂで示した約１５〜２５Ｌ水量を一旦溜め、洗濯兼脱水槽１８の回転により、すすぎ液を強制循環させることにより衣類全体に散水、浸透、離脱、再度散水、浸透、離脱、のすすぎ作用を行い衣類全体に残存した洗剤成分の希釈効果を高めることができる。
【００４９】
また、少ない水量を溜めてすすぐことで、給水弁１７の開放時間の制御で衣類に注水する方式と異なり、水道水圧が低い使用条件下であっても、給水される水量に変動が無くすすぎむらを防止でき、少ない使用水量で安定したすすぎ性能を確保できるものである。
【００５０】
さらに、本発明では図１のように送水部２３を洗濯機後方にも設けることに加えて、送水部２３ａを洗濯機前方にも設けたもので、この２ヶ所の循環経路により、１ヶ所より多くの水を循環可能としさらにすすぎ性能をアップさせたものである。
【００５１】
図１のとおり、上部カバー２６は対角２ヵ所の上部流入口２８、２８ａと吐出口２９、２９ａを有し、外槽２０は底部内周面に前記上部カバー２６に対応した２ヵ所の下部流入口２２、２２ａを設けると共に、この前記下部流入口２２、２２ａと前記上部カバー２６の前記上部流入口２８、２８ａとを連通する２ヵ所の送水部２３、２３ａを設け、前記２ヵ所の下部流入口２２、２２ａのうち１ヵ所（下部流入口２２）は外槽の底部内周面に流入口２２を設け、もう１ヵ所（下部流入口２２ａ）は外槽の略中央内周面に流入口２２ａを設けることにより、略中央内周面に設けた流入口２２ａより低水位の場合は、１ヵ所の上部吐出口２９から洗濯兼脱水槽内に散水し、略中央内周面に設けた流入口２２ａの近傍もしくは流入口２２ａより水位が高水位の場合は２ヵ所の上部吐出口２９、２９ａから散水することにより、すすぎ時の洗濯兼脱水槽の水量によって散水する水を２ヵ所に増やすことができ、よくすすげていることを使用者にアピールすることができる。
【００５２】
また、特に低水位の場合に２ヵ所の上部吐出口２９、２９ａから散水すると、十分な循環水量をえられず、かえってすすぎ力を落とす場合があるが、低水位の場合に１ヵ所の上部吐出口２９ａから散水すると、水量に応じた十分な循環水量をえられ、少ない水量でも十分なすすぎ効果がえられる。
【００５３】
すなわち、水位が低いときに無理に２ヶ所から水を散水させることは困難であるため、水位が低い場合は無理なく１ヶ所からの散水を実施し、水位が高いときには２ヶ所から多量の水を散水することが可能となり、水位によって散水する箇所ならびに散水する水量を変化させ、適切な循環水量を確保でき、水量に応じた循環水の散水による洗浄力やすすぎ力を向上させ、使用者に対しても水量に応じた循環洗浄、循環すすぎの性能をアピールすることが可能となる。
【図面の簡単な説明】
【００５４】
【図１】本発明実施の形態１における洗濯機の側断面図
【図２】同洗濯機の洗い行程のフローチャート
【図３】同洗濯機のすすぎ行程のフローチャート
【図４】従来の洗濯機の側断面図
【図５】同洗濯機の洗い行程のフローチャート
【図６】同洗濯機のすすぎ行程のフローチャート
【符号の説明】
【００５５】
６  パルセータ
７  排水口
８  排水弁
９  モータ
１１  駆動機構部（駆動機構手段）
１７  給水弁
１８  洗濯兼脱水槽
１９  裏羽根
２０  外槽
２２、２２ａ  下部流入口
２３、２３ａ  送水部
２４  水位検知装置
２５  制御装置
２６  上部カバー
２８、２８ａ  上部流入口
２９、２９ａ  上部カバー吐出口
【図１】
2010220917.tif 000003
【図２】
2010220917.tif 000004
【図３】
2010220917.tif 000005
【図４】
2010220917.tif 000006
【図５】
2010220917.tif 000007
【図６】
2010220917.tif 000008